【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
発光手段と、
前記発光手段からの光が端面から入射されることにより演出表示を行うことが可能な導光板と、
前記発光手段が取付けられる取付部材と、
前記導光板を一方の面側と他方の面側から挟み込んで取付位置に保持する保持体と、
を備え、
前記導光板が前記保持体により保持された状態において、前記導光板と前記保持体との間に隙間を有し、
前記取付部材は、移動可能に設けられ、前記発光手段よりも前記導光板側に突出する突出部を有し、
前記突出部は、前記取付部材が前記導光板の端面と前記発光手段とが対向する所定位置において前記導光板の端面と対向する
ことを特徴とする遊技機。
【手続補正２】
【補正対象書類名】明細書
【補正対象項目名】０００７
【補正方法】変更
【補正の内容】
【０００７】
前記課題を解決するために、手段Ａの遊技機は、
遊技が可能な遊技機であって、
発光手段と、
前記発光手段からの光が端面から入射されることにより演出表示を行うことが可能な導光板と、
前記発光手段が取付けられる取付部材と、
前記導光板を一方の面側と他方の面側から挟み込んで取付位置に保持する保持体と、
を備え、
前記導光板が前記保持体により保持された状態において、前記導光板と前記保持体との間に隙間を有し、
前記取付部材は、移動可能に設けられ、前記発光手段よりも前記導光板側に突出する突出部を有し、
前記突出部は、前記取付部材が前記導光板の端面と前記発光手段とが対向する所定位置において前記導光板の端面と対向する
ことを特徴としている。
前記課題を解決するために、手段１の遊技機は、
遊技が可能な遊技機（例えば、パチンコ遊技機１）であって、
発光手段（例えば、導光板ＬＥＤ６０７）と、
前記発光手段からの光が端面（例えば、上端面５１１ａ）から入射されることにより演
出表示を行うことが可能な導光板（例えば、第１導光板５１１）と、
前記発光手段が取付けられる取付部材（例えば、取付部材６０２）と、
を備え、
前記取付部材は、移動可能に設けられ(例えば、取付部材６０２は、第１位置、第２位
置、第３位置の間で左右方向に移動可能である。図１３及び図１４参照)、前記発光手段
よりも前記導光板側に突出する突出部（例えば、リブ６１２Ｌ（リブ６１２Ｒ）は、導光
板ＬＥＤ６０７よりも第１導光板５１１側に突出する突出部として機能している。図１０
参照）を有し、
前記突出部は、前記取付部材が前記導光板の端面と前記発光手段とが対向する所定位置
において前記導光板の端面と対向する（例えば、導光板ＬＥＤ６０７が第１導光板５１１
の上端面５１１ａに対向する所定位置において、リブ６１２Ｌ，６１２Ｒが第１導光板５
１１の上端面５１１ａと対向する。図１０〜図１２、図１４参照）。
ことを特徴としている。
この特徴によれば、発光手段が導光板の端面に接触して破損することを防止できる。
【手続補正３】
【補正対象書類名】明細書
【補正対象項目名】０００８
【補正方法】変更
【補正の内容】
【０００８】
手段２の遊技機は、手段１に記載の遊技機であって、
前記取付部材は、前記導光板の端面に沿って移動可能である（例えば、取付部材６０２が第１導光板５１１の上端面５１１ａに沿って移動する移動範囲において、導光板ＬＥＤ６０７は、常に第１導光板５１１の上端面５１１ａの上方に配置されている。図１３参照）
ことを特徴としている。
この特徴によれば、演出効果を高めることができる。
【手続補正４】
【補正対象書類名】明細書
【補正対象項目名】０００９
【補正方法】変更
【補正の内容】
【０００９】
手段３の遊技機は、手段１または２に記載の遊技機であって、
前記導光板は、立体演出表示が可能である（例えば、第１導光板５１１の背面には、凹凸状態（粗面）の複数の反射部が設けられており、これら反射部は、前面側の空間上の予め定められた前後左右上下複数の位置に光を収束させるようになっており、光が収束された収束点や収束線の集まりにより空間上に立体像Ｚ１，Ｚ２，Ｚ３が形成されるようになっている。図２０参照）
ことを特徴としている。
この特徴によれば、演出効果を高めることができる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記取付部材が移動中に前記発光手段を複数色にて発光可能である（例えば、導光板ＬＥＤ６０７は、赤（Ｒ）・緑（Ｇ）・青（Ｂ）の発光素子を有し、７色にて発光可能なフルカラーＬＥＤからなり、演出制御用ＣＰＵ１２０は、取付部材６０２を左右方向（第１位置〜第３位置）に移動させながら導光板ＬＥＤ６０７の発光する色を変更する制御を行うことができる。）
ことを特徴としている。
この特徴によれば、演出効果を高めることができる。
【手続補正６】
【補正対象書類名】明細書
【補正対象項目名】００１１
【補正方法】変更
【補正の内容】
【００１１】
手段５の遊技機は、手段１〜４のいずれかに記載の遊技機であって、
前記取付部材が移動中に前記発光手段を複数輝度にて発光可能である（例えば、導光板ＬＥＤ６０７は、複数の輝度で発光可能に構成されており、演出制御用ＣＰＵ１２０は、取付部材６０２を左右方向（第１位置〜第３位置）に移動させながら導光板ＬＥＤ６０７の発光する輝度も変更する制御を行うことができる。）
ことを特徴としている。
この特徴によれば、演出効果を高めることができる。
【手続補正７】
【補正対象書類名】明細書
【補正対象項目名】００１２
【補正方法】変更
【補正の内容】
【００１２】
手段６の遊技機は、手段１〜５のいずれかに記載の遊技機であって、
所定条件の成立に応じて遊技者にとって有利な有利状態（例えば、大当り遊技状態）に制御可能であり、
前記取付部材と前記発光手段とは、遊技者から視認困難に設けられ（例えば、取付部材６０２及び導光板ＬＥＤ６０７は、前保持部材５０３の上辺部５０３Ｈの背面側に配設されており、遊技者から視認困難となっている。）、
前記所定位置（例えば、導光板ＬＥＤ６０７が第１導光板５１１の上端面５１１ａに対向する位置）は、第１位置（例えば、第１位置）と該第１位置とは異なる第２位置（例えば、第２位置及び第３位置）を含み、
前記第１位置と前記第２位置のいずれにあるときに前記発光手段が発光するかに応じて有利度が異なる（例えば、取付部材６０２の移動が第１位置で停止した場合（立体像Ｚ１が表示された場合）が最も大当りの期待度が低く、取付部材６０２の移動が第２位置で停止した場合（立体像Ｚ２が表示された場合）が取付部材６０２の移動が第１位置で停止した場合よりも期待度が高く、取付部材６０２の移動が第３位置で停止した場合（立体像Ｚ３が表示された場合）が最も大当りの期待度が高く設定されているため、遊技者に第１位置、第２位置、第３位置のいずれの位置で取付部材６０２が停止するか（立体像Ｚ１，Ｚ２，Ｚ３のいずれが表示されるか）遊技者に興味を持たせることができる。図２０参照）
ことを特徴としている。
この特徴によれば、演出効果を高めることができる。
【手続補正８】
【補正対象書類名】明細書
【補正対象項目名】００１３
【補正方法】変更
【補正の内容】
【００１３】
手段７の遊技機は、手段１〜６のいずれかに記載の遊技機であって、
前記導光板が取付けられる被取付部（例えば、前保持部材５０３，後保持部材５０５）を備え、
前記被取付部は、前記発光手段に対する前記導光板の位置決め用のボスとして、第１位置決め用ボス（例えば、第１位置決め用ボス５５１）と第２位置決め用ボス（例えば、第２位置決め用ボス５５２）とを含む複数の位置決め用ボスを有し、
前記導光板は、前記第１位置決め用ボスが挿入可能な第１挿入部（例えば、第１孔部５１１Ａ）と、前記第２位置決め用ボスが挿入可能な第２挿入部（例えば、第２孔部５１１Ｂ）とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間（例えば、隙間Ｓ２）が前記第１位置決め用ボスと前記第１挿入部との間に生じる隙間（例えば、隙間Ｓ１）よりも大きく、前記端面（例えば、上端面５１１ａ）に平行または略平行な特定方向への前記導光板の移動を許容する一方で該特定方向以外の方向への前記導光板の移動を規制するように設けられる（図１９参照）
ことを特徴としている。
この特徴によれば、導光板の熱膨張に対し好適に対応できる。
【手続補正９】
【補正対象書類名】明細書
【補正対象項目名】００１４
【補正方法】変更
【補正の内容】
【００１４】
手段８の遊技機は、手段１〜７のいずれかに記載の遊技機であって、
前記導光板を取付位置に保持するための保持体（例えば、前保持部材５０３，後保持部材５０５）を備え、
前記保持体は、前記導光板を一面（例えば、前面）側と他面（例えば、背面）側とから挟み込むように前記取付位置に保持可能であり、
前記導光板を前記保持体により保持した状態において、前記導光板と前記保持体との間に隙間（例えば、隙間Ｓ２０）が設けられる（図１０〜図１２、図１８参照）
ことを特徴としている。
この特徴によれば、導光板の熱膨張に対し好適に対応できる。
【手続補正１０】
【補正対象書類名】明細書
【補正対象項目名】００１５
【補正方法】変更
【補正の内容】
【００１５】
手段９の遊技機は、手段１〜８のいずれかに記載の遊技機であって、
前記導光板を取付位置に保持するための保持体（例えば、前保持部材５０３，後保持部材５０５）を備え、
前記保持体は、
前記導光板を一面（例えば、前面）側と他面（例えば、背面）側とから挟み込むように前記取付位置に保持可能であり、
前記導光板を保持した状態において該導光板と対向する位置に凹凸部（例えば、凹凸部５４９）が設けられ、
前記凹凸部は、前記導光板を前記保持体により保持した状態において、前記導光板に形成されたエジャクタピン跡（例えば、エジェクタピン跡６５０）と対向しない位置に配置されている（図２２参照）
ことを特徴としている。
この特徴によれば、導光板の熱膨張に対し好適に対応できる。
【手続補正１１】
【補正対象書類名】明細書
【補正対象項目名】００１６
【補正方法】変更
【補正の内容】
【００１６】
手段１０の遊技機は、手段１〜９のいずれかに記載の遊技機であって、
前記発光手段（例えば、導光板ＬＥＤ５１７）から入射された光を前記導光板に向けて出射する導光部材（例えば、第１集光レンズ５１９）と、
前記導光部材が取付けられる被取付部（例えば、ＬＥＤ基板５１８の背面）と、
を備え、
前記導光部材には、前記被取付部に取付けられた状態において該被取付部に設けられた挿入部（例えば、位置決め孔５９５Ａ）に挿入可能な位置決め用ボス（例えば、集光レンズ位置決め用ボス５９３Ｆ）が突出して設けられている（図２１参照）
ことを特徴としている。
この特徴によれば、位置決め用ボスを挿入部に挿入することで導光部材の取付位置が決定されるため、導光部材を好適に取付けることができる。